(57)【要約】【課題】  二次検査の受診状況を容易に管理可能とするとともに、二次検査結果を効率良く収集可能とする。【解決手段】  参照要求受付部１ｆは、二次検査先端末５から健康診断情報の参照が要求されるときに、この参照が要求された健康診断情報に対応付けられた一次検査識別情報と二次検査医を特定する二次検査医識別情報とを二次検査先端末５から取得する。検査先書き込み部１ｇは、取得された二次検査医識別情報を、上記の取得された一次検査識別情報に対応付けて検査結果データベース１ｐに書き込む。検診結果提供部１ｈは、二次検査医識別情報が取得できた場合にのみ、上記の取得された一次検査識別情報に対応付けられた健康診断情報を検査結果データベース１ｐから読み出して二次検査先端末５へ送信することで、この健康診断情報の二次検査先端末５での参照を可能とする。【選択図】      図１
2006072532.tif 000002
【特許請求の範囲】
【請求項１】
健康診断の結果を示した健康診断情報を、前記健康診断を識別する識別情報に対応付けて記憶するデータベースにアクセス可能な健康診断結果管理装置において、
前記健康診断結果管理装置にネットワークを介して接続された端末から前記健康診断情報の参照が要求されるときに、この参照が要求された健康診断情報に対応付けられた前記識別情報と前記二次検査者を特定する二次検査者情報とを前記端末から取得する手段と、
取得された前記二次検査者情報を、取得された前記識別情報に対応付けて前記データベースに書き込む手段と、
前記二次検査者情報が取得できた場合にのみ、取得された前記識別情報に対応付けられた前記健康診断情報の参照を前記端末に対して許可する手段とを具備したことを特徴とする健康診断結果管理装置。
【請求項２】
参照が許可された前記健康診断情報を前記データベースから読み出して前記端末へ送信する手段をさらに備えることを特徴とする請求項１に記載の健康診断結果管理装置。
【請求項３】
前記データベースにて前記二次検査者情報が対応付けて記憶されていない識別情報を選定する選定手段と、
選定された前記識別情報とこれらの識別情報に対応付けて前記データベースに記憶された診断情報とを示したリストを作成する手段とをさらに具備したことを特徴とする請求項１に記載の健康診断結果管理装置。
【請求項４】
前記データベースにて前記二次検査者情報が対応付けて記憶されていない識別情報を選定する選定手段と、
選定された前記識別情報に対応付けて前記データベースに記憶された前記診断情報に示される受診者に対して前記二次検査の受診を勧奨する勧奨手段とをさらに具備したことを特徴とする請求項１に記載の健康診断結果管理装置。
【請求項５】
前記勧奨手段は、前記二次検査の受診を勧奨する勧奨文を印刷するか、あるいは前記勧奨文を示した電子メイルまたはファクシミリ原稿を前記受診者の連絡先端末へ送信することを特徴とする請求項４に記載の健康診断結果管理装置。
【請求項６】
前記データベースに記憶された前記診断情報が対応付けられた識別情報のそれぞれについてのステータスを、前記識別情報に対応付けて前記データベースに前記二次検査者情報が記憶されない未受診状態、または前記識別情報に対応付けて前記データベースに前記二次検査者情報が記憶された受診状態に区分して管理する手段をさらに備え、
かつ前記選定手段は、前記ステータスが前記未受信状態とされている識別情報を選定することを特徴とする請求項３または請求項４に記載の健康診断結果管理装置。
【請求項７】
前記端末から二次検査の結果が通知されるときに、この二次検査に関連する健康診断に対応付けられた識別情報および前記二次検査の結果を示した二次検査情報を前記端末から取得する手段と、
取得された前記二次検査情報を、取得された前記識別情報に対応付けて前記データベースに書き込む手段とをさらに具備したことを特徴とする請求項１に記載の健康診断結果管理装置。
【請求項８】
前記データベースにて前記二次検査者情報が対応付けて記憶されているが、前記二次検査情報は対応付けて記憶されていない前記識別情報を選定する選定手段と、
選定された識別情報とこれらの識別情報に対応付けて前記データベースに記憶された二次検査者情報とを示したリストを作成する手段とをさらに具備したことを特徴とする請求項６に記載の健康診断結果管理装置。
【請求項９】
前記データベースにて前記二次検査者情報が対応付けて記憶されているが、前記二次検査情報は対応付けて記憶されていない前記識別情報を選定する選定手段と、
選定された識別情報に対応付けて前記データベースに記憶された前記二次検査者情報から特定される二次検査機関に対して前記二次検査情報の通知を要求する手段をさらに備えたことを特徴とする請求項６に記載の健康診断結果管理装置。
【請求項１０】
前記データベースに記憶された前記診断情報が対応付けられた識別情報のそれぞれについてのステータスを、前記識別情報に対応付けて前記データベースに前記二次検査者情報が記憶されない未受診状態、前記識別情報に対応付けて前記データベースに前記二次検査者情報が記憶され、前記二次検査情報が記憶されない受診状態、あるいは前記識別情報に対応付けて前記二次検査情報が前記データベースに記憶される結果受領状態のいずれかに区分して管理する手段をさらに備え、
かつ前記選定手段は、前記ステータスが前記受診状態である識別情報を選定することを特徴とする請求項８または請求項９に記載の健康診断結果管理装置。
【請求項１１】
健康診断の結果を示した健康診断情報を前記健康診断を識別する識別情報に対応付けて記憶するデータベースにアクセス可能なコンピュータを健康診断結果管理装置として動作させる健康診断結果管理プログラムにおいて、
前記コンピュータを、
前記健康診断結果管理装置にネットワークを介して接続された端末から前記健康診断情報の参照が要求されるときに、この参照が要求された健康診断情報に対応付けられた前記識別情報と前記二次検査者を特定する二次検査者情報とを前記端末から取得する手段と、
取得された前記二次検査者情報を、取得された前記識別情報に対応付けて前記データベースに書き込む手段と、
前記二次検査者情報が取得できた場合にのみ、取得された前記識別情報に対応付けられた前記健康診断情報の参照を前記端末に対して許可する手段として機能させることを特徴とする健康診断結果管理プログラム。
【発明の詳細な説明】
【技術分野】
【０００１】
本発明は、健康診断に関わる情報管理を行う健康診断結果管理装置および健康診断結果管理プログラムに関する。
【背景技術】
【０００２】
企業の集団検診や人間ドックにおける健康診断は、一般に健康診断事業者により実施される。健康診断により異常の疑いが認められた場合、その異常に関する二次検査が実施される。二次検査は、上記の異常に関する精密検査などを行うものであり、健康診断事業者とは異なる医療機関で行われることが多い。すなわち、被験者が、健康診断事業者から通知される健康診断結果に基づき、任意の医療機関にて二次検査を受診する。
【０００３】
健康診断事業者から二次検査先への健康診断結果の通知は、最も単純には紙媒体により要二次検査者の手を介して行われる。より高度には、インターネットを介して健康診断情報を提供するシステムも考えられている（例えば、特許文献１または特許文献２を参照）。
【０００４】
いずれにしても、健康診断事業者からは健康診断結果を提供するだけであり、二次検査の結果を健康診断事業者が取得するための仕組みは提供されていない。
【０００５】
従来、健康診断事業者が二次検査の受診状況を管理したい場合には、健康診断事業者の職員が、受診者に電話等で直接問い合わせを行う必要があった。さらに、二次検査の結果の管理を行いたい場合には、受診者に二次検査結果記入票を渡し、この二次検査結果記入票を二次検査受診時に二次検査先に提出させる。そして二次検査先により、二次検査結果記入票に結果を記入した上で、郵送等により健康診断事業者へ返送して貰う。
【特許文献１】特開２００２−２４４０７
【特許文献２】特開２００３−１６７９６０
【発明の開示】
【発明が解決しようとする課題】
【０００６】
二次検査の受診は被験者の裁量に任されているため、必ずしも全ての要二次検査者が二次検査を受診するとは限らず、その受診率の低下が問題となっている。
【０００７】
そのような中、企業や健康保険組合等は、健康診断事業者に対して二次検査受診率の向上への取り組みを求めるようになった。これに応えるためには、健診センタは要二次検査者の二次検査受診状況を逐次監視し、必要に応じて受診勧奨を行う必要がある。例えば、重要な疾患の疑いがあるにも関わらず、二次検査を受診していない場合には、二次検査の受診勧奨を行う必要がある。
【０００８】
従来は、二次検査結果記入票が二次検査先から返送された場合にのみ、要二次検査者が二次検査を受診したかどうかが判明する。しかし、必ずしも二次検査先が二次検査結果記入票を返送するとは限らず、多くの要二次検査者については、二次検査を受診したか否かが分からない。このような要二次検査者については、職員が電話等で確認した上で、未受診であるならば受診を勧奨することが必要となって、多大な手間を要する。また、二次検査を受診済みである要二次検査者にとっては、上記のような電話が掛けられてくることは煩わしいことである。
【０００９】
また、二次検査結果記入票が返送されてこない限りは、要二次検査者が受診した二次検査先を健康診断事業者が知ることはできない。したがって、二次検査結果記入票の返送を直接的に要求するようなことはできず、二次検査結果を有効に収集することが困難であった。
【００１０】
本発明はこのような事情を考慮してなされたものであり、その目的とするところは、二次検査の受診状況を容易に管理可能とするとともに、二次検査結果を効率良く収集可能とすることにある。
【課題を解決するための手段】
【００１１】
以上の目的を達成するために本発明は、健康診断の結果を示した健康診断情報を、前記健康診断を識別する識別情報に対応付けて記憶するデータベースにアクセス可能な健康診断結果管理装置に、前記健康診断結果管理装置にネットワークを介して接続された端末から前記健康診断情報の参照が要求されるときに、この参照が要求された健康診断情報に対応付けられた前記識別情報と前記二次検査者を特定する二次検査者情報とを前記端末から取得する手段と、取得された前記二次検査者情報を、取得された前記識別情報に対応付けて前記データベースに書き込む手段と、前記二次検査者情報が取得できた場合にのみ、取得された前記識別情報に対応付けられた前記健康診断情報の参照を前記端末に対して許可する手段とを備えた。
【００１２】
また前記の目的を達成するために本発明は、健康診断の結果を示した健康診断情報を前記健康診断を識別する識別情報に対応付けて記憶するデータベースにアクセス可能なコンピュータを健康診断結果管理装置として動作させる健康診断結果管理プログラムを、前記コンピュータを、前記健康診断結果管理装置にネットワークを介して接続された端末から前記健康診断情報の参照が要求されるときに、この参照が要求された健康診断情報に対応付けられた前記識別情報と前記二次検査者を特定する二次検査者情報とを前記端末から取得する手段と、取得された前記二次検査者情報を、取得された前記識別情報に対応付けて前記データベースに書き込む手段と、前記二次検査者情報が取得できた場合にのみ、取得された前記識別情報に対応付けられた前記健康診断情報の参照を前記端末に対して許可する手段として機能させるものとした。
【発明の効果】
【００１３】
本発明によれば、二次検査の受診状況を容易に管理可能とするとともに、二次検査結果を効率良く収集可能にできる。
【発明を実施するための最良の形態】
【００１４】
以下、図面を参照して本発明の一実施形態について説明する。  
図１は本実施形態に係る健康診断結果管理装置（以下、管理装置と称する）１の構成を示すブロック図である。  
図１に示すように管理装置１は、端末インタフェース部１ａ、通信インタフェース部１ｂ、検査結果受付部１ｃ、検査結果書き込み部１ｄ、二次検査先認証部１ｅ、参照要求受付部１ｆ、検査先書き込み部１ｇ、健診結果提供部１ｈ、ステータス管理部１ｉ、未了検査選定部１ｊ、リスト作成部１ｋ、勧奨部１ｍ、結果通知要求部１ｎ、検査結果データベース（検査結果ＤＢ）１ｐおよび二次検査状況データベース（二次検査状況データベース１ｑ）１ｑを含む。
【００１５】
この管理装置１は、例えば汎用のサーバ装置やコンピュータ装置を基本ハードウェアとして用いることができる。そして上記の検査結果受付部１ｃ、検査結果書き込み部１ｄ、二次検査先認証部１ｅ、参照要求受付部１ｆ、検査先書き込み部１ｇ、健診結果提供部１ｈ、ステータス管理部１ｉ、未了検査選定部１ｊ、リスト作成部１ｋ、勧奨部１ｍおよび結果通知要求部１ｎは、上記のサーバ装置やコンピュータ装置に搭載されたプロセッサに健康診断結果管理プログラムを実行させることにより実現することができる。このときに管理装置１は、上記の健康診断結果管理プログラムが上記のサーバ装置やコンピュータ装置に予めインストールされて実現されても良いし、磁気ディスク（フロッピー(R)ディスクなど）、光磁気ディスク（ＭＯなど）、光ディスク（ＣＤ−ＲＯＭ、ＤＶＤ−ＲＯＭなど）、半導体メモリ（メモリカードなど）などのようなリムーバブルな記録媒体に記録して、あるいはネットワークを介して上記の健康診断結果管理プログラムを配布し、この健康診断結果管理プログラムをサーバ装置やコンピュータ装置に適宜インストールして実現されても良い。なお、上記の各部は、その一部または全てをロジック回路などのハードウェアにより実現することも可能である。また上記の各部のそれぞれは、ハードウェアとソフトウェア制御とを組合せて実現することも可能である。検査結果データベース１ｐおよび二次検査状況データベース１ｑは、上記のサーバ装置やコンピュータ装置に内蔵されたメモリやハードディスク装置などの記憶デバイス、上記のサーバ装置やコンピュータ装置に外付けされたメモリやハードディスク装置などの記憶デバイス、さらには磁気ディスク（フロッピー(R)ディスクなど）、光磁気ディスク（ＭＯなど）、光ディスク（ＣＤ−ＲＷ、ＤＶＤ−ＲＷなど）などのようなリムーバブルな記録媒体などを適宜利用して実現することができる。
【００１６】
端末インタフェース部１ａには、健診センタ端末２または医療機器３が任意に接続される。健診センタ端末２は、健康診断事業者が運営する健診センタに配置され、その職員などにより操作される端末装置である。医療機器３は、健康診断における検査を行う機器である。端末インタフェース部１ａは、健診センタ端末２または医療機器３との間で通信する。なお、管理装置１は、上記の健診センタに配置される。管理装置１と健診センタ端末２または医療機器３とは、例えば通信ケーブルやＬＡＮなどを介して接続される。
【００１７】
通信インタフェース部１ｂは、通信ネットワーク４に接続される。通信ネットワーク４は、インターネットや公衆電話網などを含む。通信インタフェース部１ｂは、通信ネットワークを介して二次検査先端末５、メイル端末６およびＦＡＸ端末７などと通信する。二次検査先端末５は、二次検査先の医療機関などに設置されたコンピュータ端末である。メイル端末６およびＦＡＸ端末７は、要二次検査者により所有される。メイル端末６は、電子メイルを受信する装置である。ＦＡＸ端末７は、ファクシミリ原稿を受信する装置である。
【００１８】
検査結果受付部１ｃ、検査結果書き込み部１ｄ、二次検査先認証部１ｅ、参照要求受付部１ｆ、検査先書き込み部１ｇ、健診結果提供部１ｈ、ステータス管理部１ｉ、未了検査選定部１ｊ、リスト作成部１ｋ、勧奨部１ｍおよび結果通知要求部１ｎは、後述する各種の処理を行って健康診断に関わる管理動作を実現する。
【００１９】
検査結果データベース１ｐは、健康診断や二次検査に関わる各種の情報を記憶する。二次検査状況データベース１ｑは、二次検査の受診状況を示すステータスを記憶する。
【００２０】
次に以上のように構成された管理装置１の動作について説明する。なお以下においては、「健康診断」を二次検査との違いを分かり易くするために「一次検査」と称する。
【００２１】
（二次検査管理機能）
図２は二次検査についての管理を行うための管理装置１での処理シーケンスを示す図である。  
健診センタでは、健康状況を判定するための各種検査が行われる。この検査は、例えば図３に示すような判定基準に基づいて行われる。図４は一次検査結果の一例を示す図である。その結果を示す健康診断情報は、健診センタ端末２で利用可能な健診結果登録アプリケーションを介して、管理装置１に送信される。その他にも、各種の医療機器３から直接的に管理装置１に健康診断情報が送信されるようにしても良い。健康診断情報は、例えば図５に示すような検査結果を含んだ一次検査結果情報、一次検査属性情報および受診者属性情報を含む。
【００２２】
図５は検査結果データベース１ｐに書き込まれ得る各情報の構成と関連とを示す図である。  
この図５に示すように一次検査結果情報は、一次検査識別コードおよび検査項目コードに対応付けて、検査項目名、検査結果値、結果判定および判定基準世代コードが記述される。一次検査属性情報は、一次検査識別コードに対応付けて、受診者識別コード、検査実施日、医師識別コードが記述される。受診者属性情報は、受診者識別コードに対応付けて、患者氏名、性別、生年月日、血液型、住所、電話番号、ＦＡＸ番号、電子メイルアドレスが記述される。
【００２３】
ステップＳａ１において検査結果受付部１ｃは、上記のようにして健診センタ端末２または医療機器３から送信された健康診断情報を、端末インタフェース部１ａを介して取得する。検査結果受付部１ｃは、取得した健康診断情報を検査結果書き込み部１ｄへ出力する。
【００２４】
ステップＳａ２において検査結果書き込み部１ｄは、検査結果受付部１ｃから出力された健康診断情報を検査結果データベース１ｐに書き込む。
【００２５】
全ての検査が終了すると、医師により一次検査の結果の判定が行われる。ここで、検査結果に異常が発見されると、この異常が発見された項目が要二次検査項目として認定される。そして、要二次検査項目が発見された一次検査を示す一次検査識別コードと要二次検査項目を示す検査項目コードとを示した要二次検査情報が健診センタ端末２に入力されて管理装置１へ送信される。
【００２６】
ステップＳａ３において検査結果受付部１ｃは、上記のようにして健診センタ端末２から送信された要二次検査情報を、端末インタフェース部１ａを介して取得する。検査結果受付部１ｃは、取得した要二次検査情報を検査結果書き込み部１ｄへ出力する。
【００２７】
ステップＳａ４において検査結果書き込み部１ｄは、二次検査ステータスの更新をステータス管理部１ｉに対して要求する。この要求に際して検査結果書き込み部１ｄは、要二次検査結果情報に示された一次検査識別コードと検査項目コードとをステータス管理部１ｉに通知する。ステップＳａ５においてステータス管理部１ｉは、上記のようになされた要求に基づいて二次検査状況データベース１ｑを更新する。具体的にはステータス管理部１ｉは、検査結果書き込み部１ｄから上記のように通知された一次検査識別コードおよび検査項目コードを見出しとする二次検査状況情報を二次検査状況データベース１ｑへ書き込む。二次検査状況情報は図６に示すように、一次検査識別コードおよび検査項目コードに対応付けて、二次検査状況コード、ステータス変更事由および更新日が記述される。二次検査状況コードは、「未受診」「受診」「結果受領」のそれぞれを示すコードのいずれかが示される。ステータス管理部１ｉはここでは、二次検査状況コードは、「未受診」を示すコードとする。このように、二次検査状況データベース１ｑには、要二次検査項目を示す情報として一次検査識別コードおよび検査項目コードが登録されるとともに、この要二次検査項目についてのステータスは登録直後には「未受診」に設定される。
【００２８】
一方、要二次検査項目が認定された場合には、二次検査の受診が要二次検査者に対して勧告される。この時、要二次検査者が受診した一次検査を示す一次検査識別情報と、この一次検査で異常が発見された検査項目を示す検査項目コードと、通信ネットワーク４を介して管理装置１にアクセスするための接続先情報（例えば、接続先ＵＲＬ）とが記録された診療情報提供書が健診センタから要二次検査者に発行される。この診療情報提供書には、一次検査の結果の具体的な内容は記載されない。診療情報提供書（いわゆる紹介状）は、紙媒体に必要情報が記載されたものである場合や電子媒体に電子ファイルを格納したものである場合がある。以下では、診療情報提供書が電子媒体に電子ファイルを格納したものである場合を例に説明する。
【００２９】
二次検査の受診を勧告された要二次検査者は、任意の医療機関で二次検査を受診する。通常、健診センタとは異なる医療機関において二次検査が受診される。この二次検査の受診に当たって要二次検査者は、上記の診療情報提供書を二次検査先に持参する。
【００３０】
二次検査先では、要二次検査者が持参した診療情報提供書に含まれる接続先情報に基づいて二次検査先端末５から管理装置１へアクセスし、上記診療情報提供書に含まれる一次検査識別情報および検査項目コードに関する一次検査結果の参照を要求する。なおこのときに二次検査先端末５からは、二次検査を行う医師を示す医師識別情報と、受診者の識別情報とが送信される。
【００３１】
具体的には、紹介状電子ファイルには、一次検査の識別情報および受診者の個人識別情報が少なくとも含まれる。二次検査医は、受診者が持参した紹介状電子ファイルを二次検査先端末５にて開く。この時、二次検査医師の個人識別情報が含まれるＩＣカードを二次検査先端末５に接続されているＩＣカードリーダに挿入するよう促される。二次検査医師がＩＣカードを挿入すると、二次検査医師の個人識別情報が読み取られ、これらの受診者の識別情報、一次検査の識別情報、ならびに二次検査医の識別情報が含まれた参照要求が、二次検査先端末５から管理装置１に送信される。
【００３２】
さて、検査結果データベース１ｐには、二次検査医属性情報も記憶される。二次検査医属性情報は図５に示すように、医師識別コードに対応付けて、二次検査医の氏名、識別情報（医師登録番号など）、電話番号、ＦＡＸ番号、電子メイルアドレスが記述される。二次検査医属性情報は、予め検査結果データベース１ｐに登録されても良いし、上記の参照要求に含んで通知されたものを管理装置１が検査結果データベース１ｐに登録しても良い。
【００３３】
ステップＳａ６において二次検査先認証部１ｅおよび参照要求受付部１ｆは、上記の参照要求を、通信インタフェース部１ｂを介してそれぞれ取得する。そしてステップＳａ７において二次検査先認証部１ｅは、参照要求に含まれた情報に基づいて二次検査先を認証する。もし、アクセス権限が妥当ではないならば、二次検査先認証部１ｅは以降のアクセスを拒否する。アクセス権限が妥当であるならば、ステップＳａ８において二次検査先認証部１ｅは、そのことを参照要求受付部１ｆへ通知する。
【００３４】
ステップＳａ６において参照要求を取得したならば参照要求受付部１ｆは、この参照要求から医師識別情報、一次検査識別情報および検査項目コードを抽出する。そしてアクセス元が妥当な二次検査先であることが二次検査先認証部１ｅから通知されたことに応じて参照要求受付部１ｆは、上記の抽出した医師識別情報をステップＳａ９において検査先書き込み部１ｇへ通知する。ステップＳａ１０において検査先書き込み部１ｇは、二次検査結果情報を検査結果データベース１ｐへ書き込む。二次検査結果情報は図５に示すように、二次検査識別コードに対応付けて、一次検査識別コード、検査実施日、検査判定日、医師識別コード、検査判定および検査所見を記述した情報であるが、ここでは検査判定および検査所見がまだ得られていないので、一次検査識別コード、検査実施日および医師識別コードのみを記述した二次検査結果情報を検査結果データベース１ｐへ書き込む。このように、一次検査結果の参照要求がなされた時に、二次検査先の医師識別コードが取得され、記憶される。
【００３５】
またステップＳａ１１において検査先書き込み部１ｇは、二次検査ステータスの更新をステータス管理部１ｉに対して要求する。この要求に際して検査先書き込み部１ｇは、参照要求受付部１ｆにより上記のように抽出された一次検査識別情報および検査項目コードをステータス管理部１ｉに通知する。ステップＳａ１２においてステータス管理部１ｉは、上記のようになされた要求に基づいて二次検査状況データベース１ｑを更新する。具体的にはステータス管理部１ｉは、検査先書き込み部１ｇから上記のように通知された一次検査識別コードおよび検査項目コードを見出しとする二次検査状況情報を二次検査状況データベース１ｑから検索し、該当する二次検査状況情報の二次検査状況コード、ステータス変更事由および更新日の内容を変更する。ステータス管理部１ｉはここでは、二次検査状況コードは、「受診」を示すコードとする。このように、参照が要求された一次検査結果に関わる要二次検査項目については、二次検査の受診が行われたものとして管理する。
【００３６】
アクセス元が妥当な二次検査先であることが二次検査先認証部１ｅから通知されたことに応じて参照要求受付部１ｆは、ステップＳａ１３において健診結果提供部１ｈへと送信指示を送る。この参照要求受付部１ｆは送信指示には、参照要求受付部１ｆにより上記のように抽出された一次検査識別情報および検査項目コードを含める。ステップＳａ１４において検診結果提供部１ｈは、上記の送信指示に含まれた一次検査識別情報および検査項目コードで特定される一次検査の結果を示す健康診断情報を検査結果データベース１ｐから読み出す。そしてステップＳａ１５において検診結果提供部１ｈは、上記の読み出した健康診断情報を含めた提供画面情報を作成して、これを二次検査先端末５へ送信する。
【００３７】
提供画面情報は、例えば図７に示すような一次検査結果提供画面を表す。
【００３８】
図７に示す検査結果提供画面は、２つの領域からなる。１つは、一次検査結果参照領域であり、もう一つは二次検査結果登録領域である。一次検査結果参照領域には、一次検査の異常所見と、その他の所見が参考情報として提示される。また、その中に過去の検査結果へのリンクも含まれ、二次検査の診断を支援することができる。
【００３９】
二次検査結果登録領域は、異常の有無を指定するチェックボックスと、所見を入力する自由記述欄とからなる。このように二次検査結果登録領域を、一次検査結果参照領域と同ページに含めることで、二次検査医の情報入力をより簡便にしている。
【００４０】
二次検査医は、一次検査結果参照領域に示される情報を参考に二次検査を行う。そして二次検査医は、二次検査の結果をこの登録領域に入力し、送信ボタンをクリックする。送信ボタンがクリックされると、上記の入力された二次検査結果を示した検査情報と、一次検査識別情報および検査項目コードとを含んだ登録要求が二次検査先端末５から管理装置１へ送信される。
【００４１】
なお、一般には二次検査にはある程度時間がかかる。このため、提供画面情報が二次検査先端末５へ送信されたのち、管理装置１と二次検査先端末５との間の通信リンクは一端切断されることがある。そしてこの場合には、二次検査先端末５から管理装置１へと再度アクセスされて、上記の登録要求が行われる。このような場合には、診療情報提供書に示された接続先情報（接続先ＵＲＬ）に基づいて上記のアクセスがなされる。かつ登録要求には、医師識別情報および受診者識別情報などの情報が示される。これらの情報は、新たにアクセスがなされたか否かに拘わらずに常に登録要求に含めておいても良い。
【００４２】
ステップＳａ１６において検査結果受付部１ｃおよび二次検査先認証部１ｅは、上記の登録要求を、通信インタフェース部１ｂを介してそれぞれ取得する。そしてステップＳａ１７において二次検査先認証部１ｅは、登録要求に含まれた情報に基づいて二次検査先を認証する。もし、アクセス権限が妥当ではないならば、二次検査先認証部１ｅは以降のアクセスを拒否する。アクセス権限が妥当であるならば、ステップＳａ１８において二次検査先認証部１ｅは、検査結果受付部１ｃへ登録指示を送る。
【００４３】
ステップＳａ１６において登録要求を取得したならば検査結果受付部１ｃは、この登録要求から検査情報と一次検査識別情報および検査項目コードとを抽出する。そして二次検査先認証部１ｅから上記のように登録指示が送られたことに応じて検査結果受付部１ｃは、上記の抽出した検査情報と一次検査識別情報および検査項目コードとを検査結果書き込み部１ｄへ送る。そうすると検査結果書き込み部１ｄは、上記の送られた一次検査識別情報を含んだ二次検査結果情報を検査結果データベース１ｐから検索する。そしてステップＳａ１９において検査結果書き込み部１ｄは、該当する二次検査結果情報を上記の検査情報に基づいて検査判定日、検査判定および検査所見を追加して更新する。上記の検査判定は、異常の有無を表す識別コードあるいは文字列が含まれる。結果所見は、二次検査医の所見の自由記述内容が含まれる。
【００４４】
ステップＳａ２０において検査結果書き込み部１ｄは、二次検査ステータスの更新をステータス管理部１ｉに対して要求する。この要求に際して検査結果書き込み部１ｄは、一次検査識別情報および検査項目コードをステータス管理部１ｉに通知する。ステップＳａ２１においてステータス管理部１ｉは、上記のようになされた要求に基づいて二次検査状況データベース１ｑを更新する。具体的にはステータス管理部１ｉは、検査結果書き込み部１ｄから上記のように通知された一次検査識別コードおよび検査項目コードを見出しとする二次検査状況情報を二次検査状況データベース１ｑから検索し、該当する二次検査状況情報の二次検査状況コード、ステータス変更事由および更新日の内容を変更する。ステータス管理部１ｉはここでは、二次検査状況コードは、「結果受領」を示すコードとする。
【００４５】
（受診勧奨リスト提供機能）
図８は受診勧奨リストを提供するための管理装置１での処理シーケンスを示す図である。なお受診勧奨リストとは、未受診である要二次検査の一覧を示すリストである。
【００４６】
健診センタの職員が健診センタ端末２にて受診勧奨リストの提供を要求する操作を行ったならば、健診センタ端末２から受診勧奨リスト要求が送信される。
【００４７】
この受診勧奨リスト要求はステップＳｂ１において、端末インタフェース部１ａを介して未了検査選定部１ｊに入力される。そうするとステップＳｂ２において未了検査選定部１ｊは、二次検査状況データベース１ｑに記憶されたうちでステータスが「未受診」となっている二次検査状況情報を全て選定し、該当する二次検査状況情報を全て読み出す。ステップＳｂ３において未了検査選定部１ｊは、上記の読み出した二次検査状況情報から一次検査識別情報および検査項目コードをそれぞれ取り出して、これらを全て示した未受診情報をリスト作成部１ｋへ送る。
【００４８】
ステップＳｂ４においてリスト作成部１ｋは、上記の未受診情報に示される一次検査識別情報および検査項目コードに関する健康診断情報を検査結果データベース１ｐから読み出す。そしてリスト作成部１ｋは、この読み出した健康診断情報に含まれた情報を用いて、例えば図９に示すような受診勧奨リストを作成する。ステップＳｂ５においてリスト作成部１ｋは、作成した受診勧奨リストを示す受診勧奨リスト情報を、端末インタフェース部１ａを介して健診センタ端末２へ送る。
【００４９】
図９に示す受診勧奨リストでは、未受診である要二次検査のそれぞれについて、受診者識別情報（図９では受診者名のみ）、二次検査理由、対応レベルおよび対応方法が示される。
【００５０】
対応レベルは、クラス分けされた二次検査理由（検査項目と結果判定レベル）と、一次検査日からの経過日数とに基づいてリスト作成部１ｋにより判定される。  
図１０は二次検査理由のクラス分けの例を示す図である。例えば、便潜血の場合、一次検査の結果がＤ１判定およびＤ２判定のいずれの場合であっても、対応レベルがＡクラスに分類される。尿淡白の場合には、一次検査の結果がＤ１判定の場合にはＡクラスに分類されるが、一次検査の結果がＤ２判定の場合には対応レベルが、Ａクラスよりも低いＢクラスに分類される。ここでは、１つの検査項目の判定結果とクラスが対応付けられているが、複数の検査項目結果とクラスを対応付けても良い。例えば、視力と眼底異常との検査結果の組み合わせによりクラス分けをする。
【００５１】
図１１は対応レベルの定義例を示す図である。二次検査理由のクラスと、一次検査実施日からの経過日数により、対応レベルが至急および通常のいずれかに定義されている。例えば、一次検査の結果が便潜血のＤ２判定で、一次検査から１週間が経過している場合には、対応レベルは「至急」となる。一方、一次検査の結果が尿淡白のＤ１判定で、一次検査からの経過日数が１週間の場合には、対応レベルは「通常」となる。
【００５２】
このように、クラス分けされた二次検査理由（検査項目と結果判定レベル）と、一次検査日からの経過日数により対応レベルをクラス分けすることにより、より実効力のある効率の良い対応が可能になる。つまり、より危険度が高い疾患がうたがわれる場合には、より迅速な対応を求める受診勧奨指示を出すことが可能になる。
【００５３】
対応方法は、図１２に示すような取り決めにしたがって、対応レベルに応じてリスト作成部１ｋにより判定される。  
例えば、対応レベルが至急の場合には、一次対応方法は電話となる。当該受診者の属性情報に電話番号が含まれない場合（電話を持っていない、あるいは電話を連絡手段として望まない場合）には、代替対応方法である電子メイルが対応方法となる。
【００５４】
なお、上記では受診勧奨リスト情報を健診センタ端末２へ送っているが、管理装置１に接続されたプリンタ８により印刷出力することも可能である。
【００５５】
（自動勧奨機能）
上記のように作成された受診勧奨リストに基づき、勧奨部１ｍが受診者への受診勧奨を自動的に行う。
【００５６】
自動勧奨の実行が必要とされる場合、リスト作成部１ｋは上記の受診勧奨リストを勧奨部１ｍへ送信する。この送信は、定期的に行われても良いし、人手による指示に応じて行われても良い。
【００５７】
勧奨部１ｍは、受診勧奨リストに含まれるデータのうち、対応レベルが至急になっているものについて、患者識別情報、対応方法をキーに、受診者属性情報から宛先情報を取得し、予め定められた文面を、指定の媒体により送信または、印刷（指定媒体がハガキの場合）する。
【００５８】
ここでは、受診勧奨リストのうち、対応レベルが至急になっているデータのみを処理対象とすると述べたが、全てのデータを対象にしても良い。
【００５９】
（結果未受領リスト提供機能）
図１３は結果未受領リストを提供するための管理装置１での処理シーケンスを示す図である。なお結果未受領リストとは、二次検査の結果が未受領である要二次検査の一覧を示すリストである。
【００６０】
健診センタの職員が健診センタ端末２にて結果未受領リストの提供を要求する操作を行ったならば、健診センタ端末２から結果未受領リスト要求が送信される。
【００６１】
この結果未受領リスト要求はステップＳｃ１において、端末インタフェース部１ａを介して未了検査選定部１ｊに入力される。そうするとステップＳｃ２において未了検査選定部１ｊは、二次検査状況データベース１ｑに記憶されたうちでステータスが「受診」となっている二次検査状況情報を全て選定し、該当する二次検査状況情報を全て読み出す。ステップＳｃ３において未了検査選定部１ｊは、上記の読み出した二次検査状況情報から一次検査識別情報および検査項目コードをそれぞれ取り出して、これらを全て示した未受領情報をリスト作成部１ｋへ送る。
【００６２】
ステップＳｃ４においてリスト作成部１ｋは、上記の未受領情報に示される一次検査識別情報および検査項目コードに関する二次検査結果情報を検査結果データベース１ｐから読み出す。そしてリスト作成部１ｋは、この読み出した二次検査結果情報に含まれた情報を用いて、要二次検査項目のそれぞれに関して少なくとも二次検査医を特定する情報（例えば、医師識別コードや氏名など）を示した結果未受領リストを作成する。ステップＳｃ５においてリスト作成部１ｋは、作成した結果未受領リストを示す結果未受領リスト情報を、端末インタフェース部１ａを介して健診センタ端末２へ送る。
【００６３】
なお、上記では結果未受領リスト情報を健診センタ端末２へ送っているが、管理装置１に接続されたプリンタ８により印刷出力することも可能である。
【００６４】
（結果通知自動要求機能）
上記のように作成された結果未受領リストに基づき、結果通知要求部１ｎが二次検査医へ結果通知の要求を自動的に行う。
【００６５】
結果通知の要求の実行が必要とされる場合、リスト作成部１ｋは上記の結果未受領リストを結果通知要求部１ｎへ送信する。この送信は、定期的に行われても良いし、人手による指示に応じて行われても良い。
【００６６】
結果通知要求部１ｎは、結果未受領リストに含まれるデータのうちの二次検査医の情報をキーに、二次検査医属性情報から宛先情報を取得し、予め定められた文面を、指定の媒体により送信する。
【００６７】
このように本実施形態によれば、二次検査医が二次検査のために一次検査の結果を参照する場合には、二次検査先端末５より管理装置１にアクセスして、二次検査医の識別情報を通知することが必要である。そして管理装置１では、上記のように通知された二次検査医の識別情報を一次検査識別情報に対応付けて検査結果データベース１ｐに記憶している。このため、二次検査医の識別情報が検査結果データベース１ｐに記憶されているか否かにより、二次検査が受診されたか否かを管理することができる。なお本実施形態では、二次検査医の識別情報を記憶するのみならず、二次検査状況データベース１ｑに記憶されたステータスを「未受診」から「受診」に更新しているので、このステータスを確認することにより二次検査が受診されたか否かの判断を簡易に行うことができる。また上記の記憶された識別情報に基づいて二次検査医を特定することができるため、二次検査結果の収集を容易かつ確実に行うことができる。
【００６８】
また本実施形態では、二次検査先端末５から送信された二次検査結果を検査結果データベース１ｐへ一次検査識別情報に対応付けて記憶している。そしてこのように二次検査結果が取得できている一次検査識別情報に対応付けられたステータスは、「受診」から「結果受領」に更新している。従って、ステータスに基づけば、受診されたはずであるのにその結果が取得できていない二次検査を容易に特定することができるので、そのような二次検査の結果に限って効率的に二次検査結果の収集処理を行うことができる。
【００６９】
特に本実施形態では、受診勧奨リスト提供機能や結果未受領リスト提供機能を備えているので、これらの機能を利用することにより特別なスキルを持たない職員であっても、二次検査の受診状況や二次検査結果の収集状況を確実に把握することが可能である。これにより、上記のような効果をさらに容易に達成することが可能である。
【００７０】
さらに本実施形態では、自動勧奨機能や結果通知自動要求機能を備えているので、受診勧奨や二次結果の送信要求を職員が行う手間を省くことができる。
【００７１】
これらのことにより、二次検査に関わる管理を簡易かつ確実に行うことができるようになるため、二次検査の受診率の向上を実現することが可能となる。
【００７２】
この実施形態は、次のような種々の変形実施が可能である。  
二次検査状況のステータスは、健診センタ端末２からの要求に応じて更新しても良い。具体的には例えば、管理装置１からは図１４に示すような二次検査ステータス変更画面を健診センタ端末２へ提供する。この二次検査ステータス変更画面は、一次検査結果参照領域と検査ステータス変更領域とから構成される。一次検査結果参照領域には、要二次検査項目に関する情報が示される。検査ステータス変更領域には、上記の要二次検査項目に関して管理されている現状のステータスが示される。また検査ステータス変更領域には、ステータスを選択するためのドロップリストが配置される。健診センタ端末２のオペレータは、このドロップリストにより、任意のステータスを選択できる。オペレータは、所望のステータスをドロップリストで選択したら、必要に応じてコメントを入力し、送信ボタンをクリックする。これに応じて健診センタ端末２から管理装置１は、ドロップリストで選択されたステータスへの変更要求が送られる。管理装置１では、この変更要求を受けたならばこれに応じて、二次検査状況データベース１ｑに記憶されているステータスを更新する。
【００７３】
セキュリティを高めるために、受診者が持参する紹介状電子ファイルに含まれる情報だけでなく、受診者の持つＩＣカードに記憶される情報を認証に用いるようにしても良い。例えば、先に説明した紹介状に含まれる受信者の識別情報と、受信者が所持するＩＣカードに含まれる受診者の識別情報とを二次検査先端末５から管理装置１に送信する。そして管理装置１では、受信した二つの識別情報が同一の個人を示すものであることを確認して、データの参照許可を与える。
【００７４】
健康診断情報は、通信ネットワーク４を介して伝送せずに、紹介状電子ファイルに含めるなどして二次検査医へ送るようにしても良い。この場合に管理装置１は、二次検査先端末５からのアクセスを受けて認証を行い、アクセス権限が妥当であると判断したときにのみ二次検査先端末５へ参照許可を送信する。二次検査先端末５は、管理装置１から上記の参照許可が送信された場合にのみ、二次検査医に対して健康診断情報を提示する。
【００７５】
管理装置１は、健康診断事業者とは異なる情報提供事業者により運営されても良い。この場合に管理装置１は、健診センタとは異なるデータセンタに配置される。そして管理装置１と健診センタ端末２または医療機器３とは、通信ネットワーク４を介して通信するようにすれば良い。この場合、管理装置１では、複数の健診センタのそれぞれに関する二次検査管理を行うことができる。具体的には、健診センタには、それぞれを識別するための識別コード（健診センタＩＤ）を付与しておく。健診センタから管理装置１に一次検査情報の登録を要求する際には、健診センタから管理装置１へ健診センタＩＤを送る。そして管理装置１では、検査結果データベース１ｐに記憶される一次検査情報には、新たに健診センタＩＤとの対応付けをする。二次検査先端末５で参照要求を送信する場合には、前述した二次検査医師識別情報および受診者識別情報が送信される。管理装置１は、受診者識別情報を基に、最新の検査結果を特定し、検査結果提供画面を作成し送信する。検査結果提供画面に含まれる過去検査情報のリンクをたどることで、最新検査（二次検査の対象検査）を実施した健診センタでの過去検査のみならず、他施設で受診した過去検査の情報も提供するようにすれば、より利便性が向上する。この中で、二次検査先からのデータ参照要求送信時に、健診センタＩＤを明示的に指定することとし、特定の健診センタのみの結果が参照できるようにしても良い。
【００７６】
検査結果データベース１ｐや二次検査状況データベース１ｑは、管理装置１に内蔵せずに、例えばネットワークなどを介してアクセスするようにしても良い。
【００７７】
二次検査者情報としては、医療機関を識別する識別情報などのような二次検査医識別情報以外の情報を利用することもできる。
【００７８】
健康診断情報の検査結果データベース１ｐへの書き込みは、例えば健診センタ端末２などの別の端末から行うようにして、管理装置１は行わないようにしても良い。
【００７９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００８０】
【図１】本発明の実施形態に係る健康診断結果管理装置１の構成を示すブロック図。
【図２】二次検査についての管理を行うための管理装置１での処理シーケンスを示す図。
【図３】健康状況を判定するための判定基準の一例を示す図。
【図４】一次検査結果の一例を示す図。
【図５】図１中の検査結果データベース１ｐに書き込まれ得る各情報の構成と関連とを示す図。
【図６】二次検査状況情報の構成を示す図。
【図７】一次検査結果提供画面の一例を示す図。
【図８】受診勧奨リストを提供するための管理装置１での処理シーケンスを示す図。
【図９】受診勧奨リストの一例を示す図。
【図１０】二次検査理由のクラス分けの例を示す図。
【図１１】対応レベルの定義例を示す図。
【図１２】受診勧奨の対応方法を判定するための取り決めの一例を示す図。
【図１３】結果未受領リストを提供するための管理装置１での処理シーケンスを示す図。
【図１４】二次検査ステータス変更画面の一例を示す図。
【符号の説明】
【００８１】
１…健康診断結果管理装置（管理装置）、１ａ…端末インタフェース部、１ｂ…通信インタフェース部、１ｃ…検査結果受付部、１ｄ…検査結果書き込み部、１ｅ…二次検査先認証部、１ｆ…参照要求受付部、１ｇ…検査先書き込み部、１ｈ…検診結果提供部、１ｉ…ステータス管理部、１ｊ…未了検査選定部、１ｋ…リスト作成部、１ｍ…勧奨部、１ｎ…結果通知要求部、１ｐ…検査結果データベース、１ｑ…二次検査状況データベース、２…健診センタ端末、３…医療機器、４…通信ネットワーク、５…二次検査先端末、６…メイル端末、７…ＦＡＸ端末。
【図１】
2006072532.tif 000003
【図２】
2006072532.tif 000004
【図３】
2006072532.tif 000005
【図４】
2006072532.tif 000006
【図５】
2006072532.tif 000007
【図６】
2006072532.tif 000008
【図７】
2006072532.tif 000009
【図８】
2006072532.tif 000010
【図９】
2006072532.tif 000011
【図１０】
2006072532.tif 000012
【図１１】
2006072532.tif 000013
【図１２】
2006072532.tif 000014
【図１３】
2006072532.tif 000015
【図１４】
2006072532.tif 000016